(57)【要約】      （修正有）【課題】遊技場で出玉やコインの置き場所を、通路や遊戯台の近くに置かず。場内の安全第一を実現する。【解決手段】受け皿に玉やコインが溜まってくれば自動的に図面の符号「Ｉ」に移動させ「ＩＩ」を通し「ＩＩＩ」の計数器で計量し「ＩＶ」の接続から「Ｖ」で電子表示する。これに依り場内に玉やコインの置箱が無くなり、多くの歩行スペースが確保でき災害時や接触による怪我などの対応が可能になる。【選択図】図２
0003119021.tif 000002
【実用新案登録請求の範囲】
【請求項１】
震災時や防災の危機管理上、安全第一と効率を考えたパチンコ機器の出玉やスロットマシンのコインを入れた箱を使用し、直接床上や通路に設置する事を廃止し、電子表示装置方式にする。
【考案の詳細な説明】
【技術分野】
【０００１】消防法を遵守し危険を回避する解決手段。
【考案が解決しようとする課題】
【０００２】現在、パチンコやスロット遊技場での出玉やコインの置き場所は、プラスチック等の箱に入れ場内の通路等に直接、複数箱を重ねて置いている為、地震や火災等の際に箱が転倒し、玉が場内の床に散乱するおそれが生じ、避難するための歩行が出来なくなり、混乱をまねき非常に危険である。また通常時、場内を歩行する多数のお客のスペースが非常に狭く、箱に接触し転倒等での怪我などが生じ危険性が大きい。
婦人や高齢者の利用客も多く、歩行スペースの確保が課題である。
消防法上及び震災時等の危機管理上の問題でもあり、これらを解決する手段である。
詳細は図面による。
【課題を解決するための手段】
【０００３】受け皿に玉やコインが溜まってくれば自動的に、符号「ＶＩＩＩ」に取り付けた「Ｉ」に移動させ「ＩＩ」を通し「ＩＩＩ」の計量器で計量し「ＩＶ」の配線接続から「Ｖ」で表示する。
これに依り多くのスペースが確保出来、安全にもつながる。
【考案の効果】
【０００４】スペースの確保によりお客の安全な歩行を守れる。
現状では従業員が台車又は、手で計量器まで運んでいる為、腰を痛める事も多く健康を害す原因にもなつている。この方法を採用する事により、人員の削減や健康維持も可能になり、置箱をなくす事で経費の節約も出来る。
又、使用する玉やコインを循環して使用できる為、使用数が大量に削減が出来る。
【考案を実施するための最良の形態】
【０００５】「Ｖ」の電子表示パネルを最大限に利用すること。
お客の関心をひくために表示パネルは液晶画面、プラズマ、ブラウン管等を使用し虹色の七色等を使用した箱を掲示し、玉やコインの溜まる様子を表現する。
その方法は１箱２０００〜２５００とし、七色の透明な箱を５列３５箱程度縦に並べ、別に１箱、１０箱分相当のゴールド色の箱を、上部に１列５箱つくり、１０箱になればそれを１箱表示すると同時に現状の数量も数字で表示する。
又、表現方法としては電灯の点滅や、表示パネルの図柄を工夫する事でＰＲ効果を上げる。その他、台番号、データ等も表示し、従来のものとの併用も可能にする。
遊戯中のお客の玉やコインの補充は「Ｖ」と連動させ自動的に補充が出来る様にし、残数の表示をする。
完了した場合は必ず係員の操作に依り、数量レシートをお客に渡す。
数量レシートを出す装置は一括制御機器の設置、又は各台に設置する。
【図面の簡単な説明】
【０００６】
【図１】電子表示パネル正面図
【図２】パチンコ機械の正面図
【図３】パチンコ機械の側面図
【図１】
0003119021.tif 000003
【図２】
0003119021.tif 000004
【図３】
0003119021.tif 000005
【手続補正書】
【提出日】平成17年11月24日(2005.11.24)
【手続補正１】
【補正対象書類名】実用新案登録請求の範囲
【補正対象項目名】全文
【補正方法】変更
【補正の内容】
【実用新案登録請求の範囲】
【請求項１】
パチンコ機器の玉やスロットマシンのコインが、受け皿である出玉皿やコイン皿に溜まってくれば自動的に玉やコインを、前記出玉皿やコイン皿に取り付けた円錐形取りつけ受皿に移動させ、接続パイプを通し、計数器に搬送し、その計数器で計量し、その計量の結果を接続配線から電子表示用パネルに伝えて表示することを特徴とする電子表示装置。
【手続補正２】
【補正対象書類名】明細書
【補正対象項目名】全文
【補正方法】変更
【補正の内容】
【考案の詳細な説明】
【技術分野】
【０００１】
パチンコやスロット遊技場で使用される電子表示装置に関する。
【背景技術】
【０００２】
現在、パチンコやスロット遊技場での出玉やコインの置き場所は、プラスチック等の箱に入れ場内の通路等に直接、複数箱を重ねて置いている為、地震や火災等の際に箱が転倒し、玉が場内の床に散乱するおそれが生じ、避難するための歩行が出来なくなり、混乱をまねき非常に危険である。また通常時、場内を歩行する多数のお客のスペースが非常に狭く、箱に接触し転倒等での怪我などが生じ危険性が大きい。婦人や高齢者の利用客も多く、歩行スペースの確保が課題である。
【考案の開示】
【考案が解決しようとする課題】
【０００３】
これは、消防法上及び震災時等の危機管理上の問題でもあり、これらを解決することを目的とする。
【課題を解決するための手段】
【０００４】
本考案は、パチンコ機器の玉やスロットマシンのコインが、受け皿である出玉皿やコイン皿に溜まってくれば自動的に玉やコインを、図２及び図３の符号「８」で示す前記出玉皿やコイン皿に取り付けた、図２及び図３の符号「１」で示す円錐形取りつけ受皿に移動させ、図２及び図３の符号「２」で示す接続パイプを通し、図３の符号「３」で示す計数器に搬送し、その計数器で計量し、その計量の結果を、図３の符号「４」で示す接続配線から、図１乃至図３の符号「１」で示す電子表示用パネルに伝えて表示することを特徴とする。
これに依り多くのスペースが確保出来、安全にもつながる。
【考案の効果】
【０００５】
これによれば、パチンコ機器の出玉やスロットマシンのコインを入れた箱を使用しないので、それら箱が直接床上や通路に設置されることはない。
このように、パチンコ機器の出玉やスロットマシンのコインを入れた箱を廃止し、スペースを確保することによりお客の安全な歩行を守れる。
現状では従業員が台車又は、手で計量器まで運んでいる為、腰を痛める事も多く健康を害す原因にもなっているが、本考案を採用する事により、人員の削減や健康維持も可能になり、置箱をなくす事で経費の節約も出来る。
又、使用する玉やコインを循環して使用できる為、使用数が大量に削減が出来る。
このように、本考案は、震災時や防災の危機管理上、安全第一と効率を考えたものである。また、消防法を遵守し危険を回避するものである。
【考案を実施するための最良の形態】
【０００６】
詳細は図面による。
「５」の電子表示パネルを最大限に利用すること。
お客の関心をひくために表示パネルは液晶画面、プラズマ、ブラウン管等を使用し虹色の七色等を使用した箱を掲示し、玉やコインの溜まる様子を表現する。
その方法は１箱２０００〜２５００とし、七色の透明な箱を５列３５箱程度縦に並べ、別に１箱、１０箱分相当のゴールド色の箱を、上部に１列５箱つくり、１０箱になればそれを１箱表示すると同時に現状の数量も数字で表示する。
又、表現方法としては電灯の点滅や、表示パネルの図柄を工夫する事でＰＲ効果を上げる。その他、台番号、データ等も表示し、従来のものとの併用も可能にする。
遊戯中のお客の玉やコインの補充は「５」と連動させ自動的に補充が出来る様にし、残数の表示をする。
完了した場合は必ず係員の操作に依り、数量レシートをお客に渡す。
数量レシートを出す装置は一括制御機器の設置、又は各台に設置する。
【図面の簡単な説明】
【０００７】
【図１】電子表示パネルの正面図である。
【図２】パチンコ機械の正面図である。
【図３】パチンコ機械の側面図である。
【手続補正３】
【補正対象書類名】図面
【補正対象項目名】全図
【補正方法】変更
【補正の内容】
【図１】
0003119021.tif 000006
【図２】
0003119021.tif 000007
【図３】
0003119021.tif 000008